(57)【要約】【目的】挿入部の先端部の前後長を短くしつつ、キャップを挿入部の先端部に確実に装着できるようにした側視型内視鏡の先端部のキャップ着脱構造を提供する。【構成】挿入部の先端部側面に、側方切欠部を設けてこの側方切欠部に対物レンズ窓を形成し、該挿入部先端に被着するキャップに、上記側方切欠部に係合する回転防止凸部を設けて、上記キャップに上記対物レンズ窓を露見させる窓孔を形成した側視型内視鏡の先端部構造において、上記挿入部先端部に、上記側方切欠部の一部に軸方向位置を一致させて、該側方切欠部を除く正面視円弧状をなす係合溝を形成し、上記キャップの内周面に、上記円弧状の係合溝に係合する、上記回転防止凸部を除く正面視円弧状の係合突条を設けたことを特徴とする側視型内視鏡の先端部構造。【選択図】      図２
2004254819.tif 000002
【特許請求の範囲】
【請求項１】
挿入部の先端部側面に、側方切欠部を設けてこの側方切欠部に対物レンズ窓を形成し、該挿入部先端に被着するキャップに、上記側方切欠部に係合する回転防止凸部を設けて、上記キャップに上記対物レンズ窓を露見させる窓孔を形成した側視型内視鏡の先端部構造において、
上記挿入部先端部に、上記側方切欠部の一部に軸方向位置を一致させて、該側方切欠部を除く正面視円弧状をなす係合溝を形成し、
上記キャップの内周面に、上記円弧状の係合溝に係合する、上記回転防止凸部を除く正面視円弧状の係合突条を設けたことを特徴とする側視型内視鏡の先端部のキャップ着脱構造。
【請求項２】
請求項１記載の側視型内視鏡の先端部のキャップ着脱構造において、キャップの上記回転防止凸部にはノズルが形成され、上記挿入部の先端部の側方切欠部に連なる段部には、このノズルに連なる送気または送水チューブが開口している側視型内視鏡の先端部構造。
【請求項３】
請求項１または２記載の側視型内視鏡の先端部のキャップ着脱構造において、上記側方切欠部に凹部を形成し、上記キャップの内周面に、上記回転防止凸部を該凹部と対応する形状をなすものとして形成した側視型内視鏡の先端部のキャップ着脱構造。
【請求項４】
請求項２記載の側視型内視鏡の先端部のキャップ着脱構造において、上記側方切欠部に凹部を形成し、上記キャップの内周面に、上記回転防止凸部を該凹部と対応する形状をなすものとして形成し、該回転防止凸部に上記ノズルを形成した側視型内視鏡の先端部のキャップ着脱構造。
【請求項５】
請求項１乃至４のいずれか１項記載の側視型内視鏡の先端部のキャップ着脱構造において、上記先端部の中心軸に直交する断面視において、該中心軸から上記係合溝の両端まで引いた線分がなす中心角が２７０°以上である側視型内視鏡の先端部のキャップ着脱構造。
【請求項６】
請求項２乃至５のいずれか１項記載の側視型内視鏡の先端部のキャップ着脱構造において、上記ノズルが、上記上記キャップの上記先端部への装着時に、上記対物レンズ窓側を向くものである側視型内視鏡の先端部のキャップ着脱構造。
【発明の詳細な説明】
【０００１】
【技術分野】
本発明は、側視型内視鏡の先端部のキャップ着脱構造に関する。
【０００２】
【従来技術及びその問題点】
挿入部の先端部の側面に側方切欠部を凹設し、この側方切欠部の表面に、対物レンズ窓や配光レンズを設けるとともに、側方切欠部の表面に、挿入部内を挿通する送水チューブと送気チューブの出口側端部を開口させ、この先端部に、弾性材料からなるとともにノズルを備えるキャップを装着し、キャップを装着すると、上記ノズルが、上記送水チューブ及び送気チューブの出口側端部と連通するとともに対物レンズ窓側を向く側視型内視鏡は従来より知られている（例えば、特許文献１）。
【０００３】
この側視型内視鏡では、キャップが挿入部の先端部から外れないようにするため、先端部の外周面に、側方切欠部の後方に位置させて環状の係合溝を設け、キャップの内周面には、環状の突条部を突設し、上記係合溝にこの突条部を弾性係合させている。
【０００４】
しかし、このように側方切欠部の後方に環状の係合溝を係合すると、この係合溝の前後長だけ、挿入部の先端部の前後長が長くなってしまうため、挿入部の先端部をコンパクトにすることができない。
【０００５】
【特許文献１】
特開平８−２８０６０５号公報
【０００６】
【発明の目的】
本発明は、挿入部の先端部の前後長を短くしつつ、キャップを挿入部の先端部に確実に装着できるようにした側視型内視鏡の先端部のキャップ着脱構造を提供することを目的とする。
【０００７】
【発明の概要】
本発明の側視型内視鏡の先端部のキャップ着脱構造は、挿入部の先端部側面に、側方切欠部を設けてこの側方切欠部に対物レンズ窓を形成し、該挿入部先端に被着するキャップに、上記側方切欠部に係合する回転防止凸部を設けて、上記キャップに上記対物レンズ窓を露見させる窓孔を形成した側視型内視鏡の先端部構造において、上記挿入部先端部に、上記側方切欠部の一部に軸方向位置を一致させて、該側方切欠部を除く正面視円弧状をなす係合溝を形成し、上記キャップの内周面に、上記円弧状の係合溝に係合する、上記回転防止凸部を除く正面視円弧状の係合突条を設けたことを特徴としている。
【０００８】
キャップの上記回転防止凸部にはノズルが形成され、上記挿入部の先端部の側方切欠部に連なる段部には、このノズルに連なる送気または送水チューブが開口しているのが好ましい。
【０００９】
さらに、上記側方切欠部に凹部を形成し、上記キャップの内周面に、上記回転防止凸部を該凹部と対応する形状をなすものとして形成するのが好ましい。
【００１０】
また、上記側方切欠部に凹部を形成し、上記キャップの内周面に、上記回転防止凸部を該凹部と対応する形状をなすものとして形成し、該回転防止凸部に上記ノズルを形成してもよい。
【００１１】
上記先端部の中心軸に直交する断面視において、該中心軸から上記係合溝の両端まで引いた線分がなす中心角が２７０°以上であるのが好ましい。
【００１２】
上記ノズルは、上記上記キャップの上記先端部への装着時に、上記対物レンズ窓側を向くものであるのが好ましい。
【００１３】
【発明の実施の形態】
添付図面を参照して本発明の内視鏡の一実施形態を説明する。
図１に示す内視鏡は医療用の電子内視鏡１０であり、体腔内に挿入される挿入部１１とその基部側に接続された操作部１２を有している。挿入部１１は、先端側から順に先端部１３、湾曲部１４及び可撓管部１５を有しており、さらに可撓管部１５が連結部１６を介して操作部１２に接続している。操作部１２からはユニバーサルチューブ１７が延設されており、該ユニバーサルチューブ１７の末端に設けたコネクタ部１８は、内視鏡本体とは別体のプロセッサ（図示略）に接続可能となっている。
【００１４】
挿入部１１のうち、可撓管部１５は柔軟で可撓性を有している。また、湾曲部１４内には、相対回動可能に連結された複数の節輪（図示略）が、その長手方向に並べて設けられている。操作部１２に設けた湾曲操作ノブ１９、２０を回動操作すると、図示を省略した複数の湾曲操作ワイヤが牽引または弛緩され、複数の節輪が相対回動し、その結果、湾曲部１４が上下及び左右に湾曲される。
【００１５】
本実施形態の電子内視鏡１０は、硬質材料から構成された先端部１３の一側部に側方切欠部２１を凹設した側視型内視鏡である。この側方切欠部２１の平面部２１ａには、配光レンズ保持孔２２と対物レンズ窓保持孔２３が設けられており、さらに、平面部２１ａには、前後方向を向く鉗子起上収納用凹部２４が凹設されている。また、側方切欠部２１の後端部には、鉗子起上収納用凹部２４の直後に位置する、側面視略Ｌ字形をなす係合凹部（凹部）２５が凹設されている。この係合凹部２５は、周方向を向く周方向凹部２５ａと、先端部１３の軸線と平行な方向を向く軸線方向凹部２５ｂとからなる。さらに、先端部１３には、係合凹部２５の直後に位置する段部１３ａが形成してあり、段部１３ａの前端部には、送気送水連通用凹部１３ｂが凹設されている。この送気送水連通用凹部１３ｂの後面には、送気孔２６と送水孔２７とが穿設されている。
【００１６】
平面部２１ａの配光レンズ保持孔２２には、配光レンズＬ１が嵌合固定されており、対物レンズ窓保持孔２３には対物レンズ窓Ｌ２が嵌合固定されている。さらに、図３に示すように、先端部１３内には、対物レンズ窓保持孔２３から後方に向かって延出する第１内部通路２８が形成されており、第１内部通路２８には、対物レンズ窓Ｌ２の直下に位置するプリズムＰが配設されている。さらに、第１内部通路２８には、プリズムＰの直後に位置する結像レンズＬ３と、結像レンズＬ３の直後に位置するＣＣＤ２９とが配設されており、ＣＣＤ２９からは後方に向かって画像信号用ケーブル３０が延びており、この画像信号用ケーブル３０の後端部は、挿入部１１と操作部１２の内部を通って、ユニバーサルチューブ１７のコネクタ部１８まで達している。このため、観察対象からの反射光が対物レンズ窓Ｌ２とプリズムＰを通って結像レンズＬ３に達すると、結像レンズＬ３によりＣＣＤ２９の撮像面２９ａに観察像が結像し、この観察像を画像信号用ケーブル３０が、電子画像信号としてプロセッサの画像処理装置に送る。プロセッサでは、電子画像を、モニタに表示したり画像記録媒体に記録することができる。操作部１２には、画像処理関連の遠隔操作を行うための複数のリモート操作ボタンスイッチ３１が設けられている。
【００１７】
図３に示すように、先端部１３内には、配光レンズ保持孔２２から後方に向かって延出する第２内部通路３２が形成されており、第２内部通路３２には、ユニバーサルチューブ１７のコネクタ部１８から挿入部１１の先端部１３まで配設されたライトガイドファイババンドル３３の先端部が挿入されている。このライトガイドファイババンドル３３の入射端面が配光レンズＬ１と対向しており、ライトガイドファイババンドル３３を介して、プロセッサ内部の光源からの照明光が配光レンズＬ１に与えられる。
【００１８】
また、操作部１２に設けた送気送水ボタン３４の上面には図示しない孔が穿設されており、この孔を術者が指で塞ぐと、コネクタ部１８に接続する送気源の正圧が電子内視鏡１０内に配設された送気チューブ（チューブ）３５に作用して、該送気チューブ３５の出口へ空気が送られる。送気チューブ３５の出口側端部は送気孔２６に接続しているので、送気チューブ３５に空気が送られると、送気孔２６から空気が噴射する。
また、術者が指で孔を塞いだまま送気送水ボタン３４を押し込むと、コネクタ部１８に接続する送水源と電子内視鏡１０内に設けた送水チューブ（チューブ）３６とが連通し、該送水チューブ３６内に送水される。先端部１３に位置する送水チューブ３６の出口側端部は、前述の送水孔２７に接続しているので、送水チューブ３６に送られた洗浄水などの液体は、送水孔２７から噴射される。
【００１９】
図１に示すように、連結部１６には、鉗子や高周波焼灼処置具といった処置具（図示略）を挿入するための処置具挿入口突起３７が設けられており、該処置具挿入口突起３７から電子内視鏡１０内方に向けて、処置具挿通チューブ（図４参照）３８が延設されている。処置具挿通チューブ３８の先端は、鉗子起上収納用凹部２４の後端部に穿設された処置具挿通孔２４ａに接続しており、処置具挿入口突起３７から挿入された処置具を、処置具挿通孔２４ａから突出させることができる。
【００２０】
さらに、鉗子起上収納用凹部２４には、図２の上下方向の軸回りに回転自在な鉗子起上３９が設けられている。この鉗子起上３９の後端部には、先端部１３内に上下方向の軸回りに回転自在として埋設された回転軸４０の一端が固着されており、この回転軸４０の他端には、挿入部１１の内部を挿通するとともに、その外周面にガイドコイル４１が巻回された操作ワイヤＷの先端が連係している。さらに、操作ワイヤＷの後端は、操作部１２に設けられた鉗子起上操作レバー（図示略）に連係している。鉗子起上３９は、鉗子起上レバーが非作動位置にあるときは、鉗子起上収納用凹部２４に接触する（寝る）位置にある。鉗子起上操作レバーを作動位置に向けて回動させると、回転軸４０が正転し、鉗子起上３９が鉗子起上収納用凹部２４から離れ（起きあがり）、さらに、鉗子起上操作レバーを非作動位置に戻すと、回転軸４０が逆転して、鉗子起上３９は鉗子起上用凹部２４に接触する（寝る）。
【００２１】
また、処置具挿通チューブ３８には吸引チューブ（図示略）が接続しており、この吸引チューブの後端はコネクタ部１８まで達しており、コネクタ部１８を介して、電子内視鏡１０の外部に設けた負圧源（不図示）に接続されている。よって、処置具挿通チューブ３８に対しては、処置具挿入口突起３７を介して鉗子や高周波焼灼処置具等の処置具を挿入することと、吸引チューブを介して負圧源から負圧をかけることが可能である。処置具挿通チューブ３８を吸引用の管路として使用するときには、操作部１２に設けた吸引ボタン４１を押圧する。すると、負圧源側の管路と吸引チューブが連通されて、負圧が処置具挿通チューブ３８に作用し、処置具挿通孔２４ａから体液等の流体を吸引することができる。
【００２２】
さらに、先端部１３の外周面には、その径が先端部１３の他の部分に比べて小さい、正面視略円弧状をなす係合溝４２が形成されている。この係合溝４２の、先端部１３の軸線方向位置は、係合凹部２５の周方向凹部２５ａと一致しており、図２に示すように、係合溝４２の両端は、側方切欠部２１の後端部の上下両端縁と一致する位置で終端している。さらに、先端部１３の中心軸から係合溝４２の両端にそれぞれ引いた線分がなす正面から見たときの中心角は２７０°以上に設定されている。
【００２３】
図５に示すキャップ４３は、挿入部１１の先端部１３に被せるゴム製のものである。キャップ４３の内部は中空であり、その後面は開口し、さらに、一方の側面には略方形の窓孔４４が穿設されている。さらに、キャップ４３の内周面には、キャップ４３の後端縁から前方に離間する位置に、正面視円弧状の係合突条４５が一体成形により設けられている。この係合突条４５は係合溝４２に弾性係合可能なものであり、キャップ４３の中心軸から係合突条４５の両端にそれぞれ引いた線分がなす中心角θ（図５参照）は、係合溝４２の中心角と同じ角度に設定されている。
さらに、キャップ４３の内周面の後端部には、係合突条４５の両端間の隙間に位置する、側面視略Ｌ字形をなす係合凸部（回転防止凸部）４６が設けられている。この係合凸部４６は、キャップ４３の軸線方向位置が係合突条４５と同じである周方向凸部４６ａと、周方向凸部４６ａの一端から前方に向かって延出する軸線方向凸部４６ｂとからなる。周方向凸部４６ａは、周方向凹部２５ａに弾性係合可能であり、軸線方向凸部４６ｂは軸線方向凹部２５ｂに弾性係合可能である。さらに、図３乃至図５に示すように、軸線方向凸部４６ｂには、軸線方向凸部４６ｂを前後方向に貫通する内部通路４８（ノズル）が設けられており、この内部通路４８の前端は、係合凸部４６の前面において開口する正面視方形の噴射孔４９（ノズル）（図３参照）となっている。
【００２４】
このキャップ４３を、その窓孔４４が側方切欠部２１側を向くようにして先端部１３に被せ、その係合突条４５を係合溝４２に弾性係合させ、かつ、周方向凸部４６ａを周方向凹部２５ａに、軸線方向凸部４６ｂを軸線方向凹部２５ｂにそれぞれ弾性係合させると、係合凸部４６の後面が段部１３ａの前面に当接し、内部通路４８の後端開口部が送気送水連通用凹部１３ｂ（送気孔２６及び送水孔２７）と連通する。さらに、噴射孔４９が対物レンズ窓Ｌ２の表面側を向き、窓孔４４を介して配光レンズＬ１、対物レンズ窓Ｌ２、処置具挿通孔２４ａ、及び鉗子起上３９が露出する。従って、キャップ４３を先端部１３に被せた状態で、送気孔２６から空気を噴射させるか、送水孔２７から洗浄水などの液体を噴射すると、噴射孔４９から空気または液体が対物レンズ窓Ｌ２の表面に向けて噴射され、対物レンズ窓Ｌ２の表面が洗浄される。
【００２５】
このような本実施形態によれば、先端部１３の軸線方向位置が、側方切欠部２１の一部と一致するようにして、先端部１３の外周面に正面視略円弧状の係合溝４２を設けたので、従来に比べて、先端部１３の前後長Ｌ（図３参照）を短くすることができる。
しかも、この係合溝４２にキャップ４３の係合突条４５を弾性係合させるとともに、側方切欠部２１に凹設した係合凹部２５に、キャップ４３の係合凸部４６を弾性係合させているので、先端部１３に装着したキャップ４３が不意に外れるおそれは殆どない。
さらに、係合溝４２と係合突条４５の中心角が２７０°以上に設定されているので、係合溝４２と係合突条４５の弾性係合が不意に解除されるおそれは殆どない。
【００２６】
【発明の効果】
以上から明らかなように、本発明によれば、挿入部の先端部の前後長を短くしつつ、キャップを挿入部の先端部に確実に装着できるようになる。
【図面の簡単な説明】
【図１】本発明を適用した電子内視鏡の一実施形態を示す外観図である。
【図２】挿入部の先端部の一部を破断した拡大側面図である。
【図３】図２のＩＩＩ−ＩＩＩ線に沿う拡大横断平面図である。
【図４】図２のＩＶ−ＩＶ線に沿う拡大縦断正面図である。
【図５】キャップの後半部の拡大斜視図である。
【符号の説明】
１０    電子内視鏡（側視型内視鏡）
１１    挿入部
１２    操作部
１３    先端部
１３ａ  段部
１３ｂ  送気送水連通用凹部
１４    湾曲部
１５    可撓管部
１６    連結部
１７    ユニバーサルチューブ
１８    コネクタ部
１９  ２０  湾曲操作ノブ
２１    側方切欠部
２１ａ  平面部
２２    配光レンズ保持孔
２３    対物レンズ窓保持孔
２４    鉗子起上収納用凹部
２４ａ  処置具挿通孔
２５    係合凹部（凹部）
２５ａ  周方向凹部
２５ｂ  軸線方向凹部
２６    送気孔
２７    送水孔
２８    第１内部通路
２９    ＣＣＤ
２９ａ  撮像面
３０    画像信号用ケーブル
３１    リモート操作ボタンスイッチ
３２    第２内部通路
３３    ライトガイドファイババンドル
３４    送気送水ボタン
３５    送気チューブ（チューブ）
３６    送水チューブ（チューブ）
３７    処置具挿入口突起
３８    処置具挿通チューブ
３９    鉗子起上
４０    回転軸
４１    ガイドコイル
４２    係合溝
４３    キャップ
４４    窓孔
４５    係合突条
４６    係合凸部（回転防止凸部）
４６ａ  周方向凸部
４６ｂ  軸線方向凸部
４８    内部通路（ノズル）
４９    噴射孔（ノズル）
Ｌ１    配光レンズ
Ｌ２    対物レンズ窓
Ｌ３    結像レンズ
Ｗ      操作ワイヤ
【図１】
2004254819.tif 000003
【図２】
2004254819.tif 000004
【図３】
2004254819.tif 000005
【図４】
2004254819.tif 000006
【図５】
2004254819.tif 000007